(57)【特許請求の範囲】
【請求項１】
道路の路側に沿って延長方向に設置された防護柵へ、落下物防止フェンスを取付金具を用いて取り付ける落下物防止フェンスの設置工法であって、
前記取付金具は、その一側部分を落下物防止フェンスのフェンス用支柱の下方部分と接合され、落下物防止フェンスの面材設置予定位置の下縁を迂回して前記防護柵の支柱に向かって延びる底部に続いて、前記防護柵支柱の道路とは反対側の側面に沿って立ち上がる立ち上がり部が形成されて成り、前記立ち上がり部を、防護柵支柱の道路とは反対側の側面へボルト接合して前記落下物防止フェンスのフェンス用支柱を立て付ける段階と、
前記落下物防止フェンスのフェンス用支柱の道路側面の上下に道路延長方向に沿って胴縁を取り付ける段階と、
前記落下物防止フェンスのフェンス用支柱及び胴縁の道路側面に沿って面材を設置する段階と、
しかる後に前記防護柵支柱の道路とは反対側の側面の前記取付金具の立ち上がり部より上方の部位と、落下物防止フェンスのフェンス用支柱の対面する部位との間に補助金具を配置し、この補助金具と防護柵支柱および落下物防止フェンスのフェンス用支柱とをボルト接合する段階とから成ることを特徴とする、落下物防止フェンスの設置工法。
【請求項２】
面材の設置は、道路の延長方向に施工可能な長さ分を巻紙の如く巻き取って用意し、これを道路の延長方向へ順次巻き戻しつつ設置する作業を進めて行うことを特徴とする、請求項１に記載した落下物防止フェンスの設置工法。
【請求項３】
道路の路側に沿って延長方向に設置された防護柵の支柱へ、落下物防止フェンスのフェンス用支柱を取付金具により直立姿勢に取り付ける落下物防止フェンスのフェンス用支柱の立て付け方法であって、
前記取付金具は、その一側部分を前記落下物防止フェンスのフェンス用支柱の下方部分と接合され、落下物防止フェンスの面材設置予定位置の下縁を迂回して前記防護柵支柱に向かって延びる底部に続いて、前記防護柵支柱の道路とは反対側の側面に沿って立ち上がる立ち上がり部が形成されて成り、前記立ち上がり部を防護柵支柱の道路とは反対側の側面へボルト接合して前記落下物防止フェンスのフェンス用支柱を立て付ける段階を経て、落下物防止フェンスを組み立てる段階へと移行することを特徴とする、落下物防止フェンスのフェンス用支柱の立て付け方法。
【請求項４】
道路の路側に沿って延長方向に設置された防護柵の支柱へ、落下物防止フェンスのフェンス用支柱を立て付ける、落下物防止フェンスのフェンス用支柱の取付金具であって、
前記取付金具は、前記落下物防止フェンスのフェンス用支柱の下方部分と接合される落下物防止フェンスのフェンス用支柱取付部と、前記落下物防止フェンスの面材設置予定位置の下縁を迂回して前記防護柵支柱に向かって延びる底部を備え、
前記底部に続いて、前記防護柵支柱の道路とは反対側の側面に沿って立ち上がる立ち上がり部を形成された構成であることを特徴とする、落下物防止フェンスのフェンス用支柱の取付金具。
【請求項５】
前記取付金具の落下物防止フェンスのフェンス用支柱取付部と、落下物防止フェンスのフェンス用支柱の下方部分とは、溶接により、又はボルト接合により予め一体的に接合されていることを特徴とする、請求項４に記載した落下物防止フェンスのフェンス用支柱の取付金具。
【発明の詳細な説明】
【技術分野】
【０００１】
この発明は、道路の路側に沿って防護柵が設置され、更に背の高い落下物防止フェンスが二重構造に設置される場合であって、防護柵が新設であるか既設であるかを問わず、金網構造の落下物防止フェンスの設置施工に好適な設置工法及び設置構造並びに取付金具の技術分野に属する。
【背景技術】
【０００２】
従来、道路に沿って高欄等の防護柵が設置されることは公知、周知であるが、更に背の高い落下物防止フェンスをも併設して、空き缶などが民家や交差道路・鉄道などへ投げ捨てられる被害を防止し、且つ投棄物による思いがけない事故の発生を未然に防ぐ対策が既に実施されている。
例えば下記の特許文献１に記載された高欄用支柱には、道路側の側面にガードレール（ビームパイプ）を支持する半円形状のレール嵌合部を設け、道路とは反対側（歩道側ないし民地側など）の側面にフェンス鉄枠（フェンス用支柱）を支持する突片を設け、同突片を利用してフェンス鉄枠を立て、前記フェンス鉄枠の道路側面に沿って道路長手方向に金網構造の面材を張り付けた構成が開示されている。
また、下記の特許文献２に記載された防護柵は、防護柵用支柱の道路側面へ防護柵本体が架設され、同防護柵用支柱の背面側（歩道側ないし民地側など）に連結片を突設し、同連結片を利用して遮蔽柵（落下物防止フェンス）を支持する遮蔽柵用支柱を取り付け、前記遮蔽柵用支柱の道路方向の両側縁に設けた取り付け枠材の各縦溝へ遮蔽柵（捨て防止フェンスパネル）の縦縁部を差し込み取り付けた構造が開示されている。
【０００３】
その他、既往の落下物防止フェンスは、図９Ａ、Ｂと図１０Ａ、Ｂに例示したように、道路１の路側部に立ち上がらせたコンクリート高欄２の上面に鋼製の高欄支柱３０を建て、同高欄支柱３０の上端部に道路長手方向に延びる防護パイプ３１を支持させて防護柵３を構築している。
更に前記高欄支柱３０の道路とは反対側（歩道側ないし民地側など）の側面の上下２箇所に支持金具３２を取り付け、この支持金具３２へ落下物防止フェンスのフェンス用支柱４０の取付金具４９をボルト接合４８により結合して同落下物防止フェンスのフェンス用支柱４０を垂直に立て、前記落下物防止フェンスのフェンス用支柱４０の道路側面の上下の道路長手方向に胴縁４２を取り付けてフェンス下地（骨組み構造）を構築し、前記落下物防止フェンスのフェンス用支柱４０と胴縁４２の道路側面に沿って、金網で成る背の高い面材４１を道路長手方向に張り付けた構成である。
【先行技術文献】
【特許文献】
【０００４】
【特許文献１】実開昭５５−４４８３３号公報
【特許文献２】特開平９−１１１７２５号公報
【発明の概要】
【発明が解決しようとする課題】
【０００５】
上記の特許文献１、２に記載された落下物防止フェンス及び図９に示した既往の落下物防止フェンスは、それぞれ目的の機能を果たすことは認められる。
しかし、特許文献１の落下物防止フェンス及び図９に示した既往の落下物防止フェンスはいずれも、落下物防止フェンスのフェンス用支柱が道路とは反対の歩道側ないし民地側に立てられ、高欄用支柱へは支持金具などを介してボルト止め等の手段で取り付けておく。その後に面材（金網）を張り付ける手順で設置する構成であるため、面材がフェンス鉄枠（フェンス用支柱）を支持する突片（支持金具）と交差する部位では、同パネル（金網）の該当箇所を予め上下方向へ必要な長さ切断し、また、同金網は道路の長手方向に一定の長さに予め切断しておいて、上方から前記切断箇所を下向きに差し入れて突片を跨らせる手法で設置するほかなかった。そのため面材（金網）の切断、及びその張り付け（又は建て込み）作業が大変面倒で時間がかかり、設置施工の工期が長引き、コスト高になる問題点があった。
【０００６】
また、特許文献２に記載された落下物防止フェンスの場合も、面材は予め、同面材を支持する遮蔽柵用支柱の間隔寸法に切断して用意し、同面材を一枚ずつ、前記遮蔽柵用支柱に設けた取り付け枠材の縦溝中へ両側縁部を差し込んで取り付ける手法により設置する構造であるため、やはり面材の切断及び加工に時間を要する上に、その張り付け（建て込み）作業が面倒で、多くの手間を要求され、工期が長引き、コスト高になる問題点があった。
【０００７】
しかも上記特許文献１に係る先行技術の場合は、落下物防止フェンスの設置施工を、道路とは反対の歩道側ないし民地側などに作業スペースを確保すると、作業を行い易い構成になっている反面、いわゆる跨線橋道路とか立体交差道路のように、歩道側ないし民地側などに作業スペースを全く確保できない条件下では、落下物防止フェンスの設置施工が困難で、大変無理な姿勢で、或いは危険を伴う姿勢で作業することを強いられる。そのため落下物防止フェンスの設置作業が難渋し、面倒で多くの手間を要求され、工期が長引き、コスト高になるという問題点が増幅される。
【０００８】
したがって、本発明の目的ないし解決課題は、道路の延長方向に沿って高欄等の防護柵が設置され、更に同防護柵の背後側（道路とは反対側）に背の高い落下物防止フェンスが併設される場合に、その落下物防止フェンスの設置施工を、基本的には道路側のみから安全に楽な姿勢で作業を進めることができ、いわゆる跨線橋道路とか立体交差道路のように歩道側ないし民地側に作業スペースを確保できない条件下での設置施工に好都合な落下物防止フェンスの設置工法及び設置構造を提供することである。
本発明の次の目的は、金網による面材を落下物防止フェンスのフェンス用支柱へ張り付ける設置作業のために、落下物防止フェンスのフェンス用支柱の位置毎に同面材へ落下物防止フェンスのフェンス用支柱の支持部材を避ける（跨ぐ）切り込みを加工する作業の必要を無くし、更に金網による面材は予め必要な長さ分を巻紙の如く巻いた状態で準備し、落下物防止フェンスのフェンス用支柱の位置よりも道路側の作業位置に立つ作業員が道路の延長方向へ順次移動しつつ巻き戻して落下物防止フェンスのフェンス用支柱へ張り付ける設置作業を実施することを可能にする、落下物防止フェンスのフェンス用支柱の立て付け方法と、同方法に使用する取付金具を提供することである。
【課題を解決するための手段】
【０００９】
上記従来技術の課題を解決するための手段として、請求項１に記載した発明に係る落下物防止フェンスの設置工法は、
道路の路側に沿って延長方向に設置された防護柵３へ、落下物防止フェンス４を取付金具を用いて取り付ける落下物防止フェンスの設置工法であって、
前記取付金具５は、その一側部分を落下物防止フェンスのフェンス用支柱４０の下方部分と接合され、落下物防止フェンス４の面材設置予定位置の下縁を迂回して前記防護柵３の支柱３０に向かって延びる底部５０に続いて、前記防護柵支柱３０の道路１とは反対側の側面に沿って立ち上がる立ち上がり部５１が形成されて成り、前記立ち上がり部５１を、防護柵支柱３０の道路１とは反対側の側面へボルト７で接合して前記落下物防止フェンスのフェンス用支柱４０を立て付ける段階と、
前記落下物防止フェンスのフェンス用支柱４０の道路側面の上下に道路延長方向に沿って胴縁４２を取り付ける段階と、
前記落下物防止フェンスのフェンス用支柱４０及び胴縁４２の道路側面に沿って面材４１を設置する段階と、
しかる後に前記防護柵支柱３０の道路１とは反対側の側面の前記取付金具５の立ち上がり部５１より上方の部位と、落下物防止フェンスのフェンス用支柱４０の対面する部位との間に補助金具６を配置し、この補助金具６と防護柵支柱３０および落下物防止フェンスのフェンス用支柱４０とをボルト接合する段階とから成ることを特徴とする。
請求項２に記載した発明は、請求項１に記載した落下物防止フェンスの設置工法において、
面材４１の設置は、道路１の延長方向に施工可能な長さ分を巻紙の如く巻き取って用意し、これを道路１の延長方向へ順次巻き戻しつつ設置する作業を進めて行うことを特徴とする。
【００１０】
請求項３に記載した発明に係る落下物防止フェンスのフェンス用支柱の立て付け方法は、
道路１の路側に沿って延長方向に設置された防護柵３の支柱３０へ、落下物防止フェンス４のフェンス用支柱４０を取付金具５により直立姿勢に取り付ける落下物防止フェンスのフェンス用支柱４０の立て付け方法であって、
前記取付金具５は、その一側部分を前記落下物防止フェンスのフェンス用支柱４０の下方部分と接合され、落下物防止フェンス４の面材設置予定位置の下縁を迂回して前記防護柵支柱３０に向かって延びる底部５０に続いて、前記防護柵支柱３０の道路１とは反対側の側面に沿って立ち上がる立ち上がり部５１が形成されており、前記立ち上がり部５１を防護柵支柱３０の道路とは反対側の側面へボルト７で接合して前記落下物防止フェンスのフェンス用支柱４０を立て付ける段階を経て、落下物防止フェンス４を組み立てる段階へと移行することを特徴とする。
【００１１】
請求項４に記載した発明に係る落下物防止フェンスのフェンス用支柱の取付金具は、
道路１の路側に沿って延長方向に設置された防護柵３の支柱３０へ、落下物防止フェンス４のフェンス用支柱４０を立て付ける、落下物防止フェンスのフェンス用支柱の取付金具であって、
前記取付金具５は、前記落下物防止フェンスのフェンス用支柱４０の下方部分と接合される落下物防止フェンスのフェンス用支柱取付部５２と、前記落下物防止フェンス４の面材設置予定位置の下縁を迂回して前記防護柵支柱３０に向かって延びる底部５０を備え、
前記底部５０に続いて、前記防護柵支柱３０の道路１とは反対側の側面に沿って立ち上がる立ち上がり部５１を形成された構成であることを特徴とする。
【００１２】
請求項５に記載した発明は、請求項４に記載した落下物防止フェンスのフェンス用支柱の取付金具において、
前記取付金具５の落下物防止フェンスのフェンス用支柱取付部５３と、落下物防止フェンスのフェンス用支柱の下方部分とは、溶接により、又はボルト接合により予め一体的に接合されていることを特徴とする。
【発明の効果】
【００１３】
請求項１、２に記載した発明に係る落下物防止フェンスの設置工法、及び請求項３に記載した発明に係る落下物防止フェンスのフェンス用支柱（以下、単にフェンス用支柱と略す場合がある。）の立て付け方法によれば、落下物防止フェンス４の設置作業は全て、フェンス用支柱４０の位置よりも道路側位置で行えるから、特に跨線橋道路とか立体交差道路のように、歩道側ないし民地側に作業スペースを確保できない条件下での設置施工に好都合であり、安全性の高い工事を楽に短工期に行うことができる。
とりわけ、落下物防止フェンス４の面材４１（金網など）をフェンス用支柱４０と胴縁４２へ設置する（張り付ける）作業に関しては、従来のようにフェンス用支柱４０を防護柵支柱３０へ支持させた金具を跨ぐ切れ目を加工する作業の必要が一切無く、その分の作業手間を省ける上に、同面材４１はフェンス用支柱４０へ直接水平方向に当てがう横張り作業ができる。そのため面材４１は、予め作業上許容される長さ分を巻紙の如く巻いた状態で準備し、これをフェンス用支柱４０よりも道路側の位置へ立つ作業員が道路の延長方向へ順次移動しつつ巻き戻してフェンス用支柱４０へ張り付ける設置作業を実施可能である。よって、作業能率は、従来技術に比較して飛躍的に高まり、工期の短縮化とコストの削減に大きな効果が得られる。
また、請求項４、５に記載した発明に係る取付金具５は、防護柵支柱３０の下方部分へ予め工場加工として、溶接により、又はボルト接合などの手段で一体的に接合しておけるので、同接合部分の品質の確保が可能であり、現場作業を省略できる。そして、上記したフェンス用支柱の立て付け方法の実施を可能にし、ひいては落下物防止フェンスの設置工法の実施に際して、面材４１へ切れ目を入れる加工の必要が無くなり、その分の作業手間を省ける。その上、同面材４１はフェンス用支柱４０へ直接水平方向に当てがう横張り作業方式で設置でき、作業能率を一層高められ、工期の短縮化を図れる等々の効果を奏する。
【図面の簡単な説明】
【００１４】
【図１】Ａは本発明により設置した防護柵及び落下物防止フェンスを道路側から見た立面図、Ｂは前記Ａ図に指示したI−I線矢視の断面図である。
【図２】Ａは図１Ｂに指示したII−II線矢視の拡大した断面図、Ｂは前記Ａ図に指示したII’−II’線矢視方向に見て落下物防止フェンスの設置が完成した構造をフェンス用支柱の下方部分について示した立面図、同Ｃは取付金具を介して防護柵支柱へフェンス用支柱を立て付けた段階を示した立面図である。
【図３】Ａ、Ｂはフェンス用支柱の下方部分へ取付金具を接合した状態を示す平面図と立面図、同Ｃは取付金具の右側面図である。更に同Ｄはフェンス用支柱の下方部分へ取付金具を接合した構成がＢ図とは異なる実施例を示した立面図である。
【図４】Ａは本発明の実施例２を上記図２Ｂと同じ視点で示した立面図、ＢはＡ図に指示した楕円ｂ部分の右側面図、ＣはＡ、Ｂに使用した胴縁固定金具の側面図と正面図である。
【図５】Ａ〜Ｃは上記図４Ａに示す実施例２に用いた、防護柵支柱へフェンス用支柱を立て付ける取付金具をフェンス用支柱の下方部分へ接合した状態で示した平面図と立面図、及び右側面図である。Ａはフック部材４３ａを配置した図、Ｂ、Ｃはフック部材４３ａの配置前の図である。
【図６】Ａは本発明の実施例３である防護柵及び落下物防止フェンスの設置構造を道路側から見て示した立面図、Ｂは前記Ａ図に指示したVI−VI線矢視の断面図である。
【図７】Ａは図６Ｂに指示したVII−VII線矢視の断面図、ＢはＡ図に指示したVII’−VII’線矢視の立面図、Ｃは取付金具を介してフェンス用支柱を防護柵支柱へ立て付けた状態を示した立面図である。
【図８】Ａ〜Ｃは上記実施例３に用いた、フェンス用支柱を防護柵支柱へ立て付ける取付金具をフェンス用支柱の下方部分へ接合した状態で示した平面図と立面図、及び右側面図である。
【図９】Ａは従来の防護柵及び落下物防止フェンスの設置状態を道路側から見て示す立面図、Ｂは前記Ａ図に指示したIX−IX線矢視の断面図である。
【図１０】Ａは図９Ｂに指示したX−X線矢視の断面図、Ｂは前記Ａ図における取付金具部分を示した立面図である。
【発明を実施するための形態】
【００１５】
請求項１、２に記載した発明による落下物防止フェンスの設置工法は、道路１の路側に沿って延長方向に設置された防護柵３へ、落下物防止フェンス４を取付金具５を用いて取り付け設置する工法として実施する。
取付金具５は、その一側部分（フェンス用支柱取付部５３）をフェンス用支柱４０の下方部分と接合し、落下物防止フェンス４の面材設置予定位置の下縁を迂回して前記防護柵３の支柱３０に向かって延びる底部５０に続いて、前記防護柵支柱３０の道路１とは反対側の側面に沿って立ち上がる立ち上がり部５１を形成して成り、前記立ち上がり部５１を、防護柵支柱３０の道路１とは反対側の側面へボルト７で接合して前記フェンス用支柱４０を立て付ける段階と、
前記フェンス用支柱４０の道路側面の上下に、道路延長方向に沿って胴縁４２を取り付ける段階と、
前記フェンス用支柱４０及び上下の胴縁４２の道路側面に沿って面材４１（金網）を設置する（張り付ける）段階と、
しかる後に前記防護柵支柱３０の道路１とは反対側の側面の前記取付金具５の立ち上がり部５１より上方の部位と、フェンス用支柱４０の対面する部位との間へ補助金具６を配置し、この補助金具６と防護柵支柱３０およびフェンス用支柱４０とをボルト接合する段階とにより実施する。
この場合に、上記面材４１の設置作業は、道路１の延長方向へ施工可能な長さ分を予め巻紙の如く巻き取った形に用意し、これを道路の延長方向へ順次巻き戻しつつ設置する作業を進めて行う。
【００１６】
請求項３に記載した発明によるフェンス用支柱の立て付け方法は、道路１の路側に沿って延長方向へ設置された防護柵３の支柱３０へ、落下物防止フェンス４のフェンス用支柱４０を取付金具５により直立姿勢に取り付ける方法であり、
前記取付金具５は、その一側部分（フェンス用支柱取付部５３）を前記フェンス用支柱４０の下方部分と接合され、落下物防止フェンス４の面材設置予定位置の下縁を迂回して前記防護柵支柱３０に向かって延びる底部５０に続いて、前記防護柵支柱３０の道路１とは反対側の側面に沿って立ち上がる立ち上がり部５１が形成されており、
前記立ち上がり部５１を、防護柵支柱３０の道路１とは反対側の側面へボルト７で接合して前記フェンス用支柱４０を立て付ける段階を経て、面材４１を組み立てる段階へと移行する手順で実施する。
【００１７】
更に、請求項４に記載した発明によるフェンス用支柱の取付金具５は、道路１の路側に沿って延長方向へ設置された防護柵３の支柱３０へ、落下物防止フェンス４のフェンス用支柱４０を立て付ける手段に使用するもので、
この取付金具５は、前記フェンス用支柱４０の下方部分と接合されるフェンス用支柱取付部５３と、
前記落下物防止フェンス４の面材設置予定位置の下縁を迂回して前記防護柵支柱３０に向かって延びる底部５０を備え、
前記底部５０に続いて、防護柵支柱３０の道路１とは反対側の側面に沿って立ち上がる立ち上がり部５１が形成された構成とする。
この取付金具５のフェンス用支柱取付部５３と、フェンス用支柱４０の下方部分とは、溶接により、又はボルト接合により予め一体的に接合しておくことができる。
【実施例１】
【００１８】
先ず図1Ａ、Ｂは、本発明による落下物防止フェンスの設置工法により、道路１の路側に沿って延長方向に設置された防護柵３へ、落下物防止フェンス４を取付金具５を用いて取り付けた実施例１を示している。
図１に示した落下物防止フェンス４は、道路１の路側に沿って延長方向に起立させたコンクリート高欄２の上面に、新設であるか、既設であるかの別を問わず、鋼製高欄による防護柵３が先行して設置されていることを前提に、同防護柵３の道路１とは反対側位置に落下物防止フェンス４が取付金具５を用いて設置された構成を示している。
落下物防止フェンス４の面材４１には、ひし形金網を用いた例を示している。そして、同面材４１は、上下の水平端縁を、フェンス用支柱４０の上下へ水平方向に取り付けたアングルによる胴縁４２、４２へ金網取付け金具を使用して張り付けて設置されているが、その取付け構造の詳細については既に公知、周知に属するので、詳細な図示及び説明は省略する。
因みに、図１に示した防護柵３の構成についても詳しく図示することは省略したが、道路１の長手方向に一定の間隔をあけて立てた防護柵支柱（高欄支柱）３０の上端部に、道路延長方向の防護パイプ（ビームパイプ）３１を支持させた構成を示しているが、この点の構成も既に公知、周知であるため、詳細な図示と説明は省く。もっとも、防護柵３の構造を前記鋼製高欄による構成に限る意味ではない。防護柵支柱３０を後述する構成で落下物防止フェンス４の設置に利用できる限り、その具体的構成の如何は問わない。例えば図６〜図８の実施例が好適に参照されるであろう。  
【００１９】
本発明によれば、上記構成の防護柵３が、新設であるか既設であるかの如何を問わず、先行して設置されていることを前提に、落下物防止フェンス４が次のように設置される。
図２Ｂと図３Ｂを参照すると明かなように、鋼製の取付金具５は、底部５０の一側部分（図の左側部分）がフェンス用支柱取付部５３とされ、その上面に、垂直な姿勢としたフェンス用支柱４０の下面を突き合わせ、図示例の場合は溶接により一体的に接合した構成とされている。前記底部５０は、図２Ｂ、Ｃに示したとおり、後述する面材設置予定位置にある面材４１の下縁を迂回して（下縁を潜って）前記防護柵３の支柱３０に向かって延びる。そして、前記底部５０に続いて、前記防護柵支柱３０の道路１とは反対側の側面（図２Ｂの左側面）に沿って立ち上がる立ち上がり部５１を一連に形成して成り、この取付金具５は全体としてＬ字形に構成されている。更に前記立ち上がり部５１には、図３Ｃに示したように、上方部分の左右に２個（但し、２個の限りではない。）のボルト孔５２が設けられている。
上記の取付金具５は、図２のとおり、その底部５０の下面がコンクリート高欄２の上面へ接する配置とし、前記立ち上がり部５１を防護柵支柱３０の道路１とは反対側の側面へ接触させ、前記２個のボルト孔５２を利用して防護柵支柱３０とボルト７で強固に接合することにより、前記フェンス用支柱４０を垂直姿勢に立て付けることができる。
因みに図示したフェンス用支柱４０には、長さが１．５ｍ程度の軽量ハット形鋼を使用している。取付金具５には厚さ６ｍｍ程度の鋼板を使用しているので、取付金具５の立ち上がり部５１を防護柵支柱３０の側面へボルト７で強固に接合することにより、フェンス用支柱４０は安定な垂直姿勢に立て付けることができる。図２Ａは、防護柵支柱３０がＨ形鋼を利用して構成していることを示している。
【００２０】
以上に説明し図２Ｂに示したようにして、道路１の延長方向に並び立つ既設の防護柵支柱３０の位置毎に、同取付金具５により防護柵支柱３０へフェンス用支柱４０を安定な垂直姿勢に立て付けてゆく。因みに、防護柵支柱３０およびフェンス用支柱４０の道路延長方向の間隔は、通例２ｍ以下とされる。
上記のようにフェンス用支柱４０を垂直姿勢に立て付けた後は、既往の施工と同様に、各フェンス用支柱４０の上下の位置に、面材４１の上下の端縁部を支持させる胴縁（アングル）４２、４２を取り付け、面材４１の張り付け設置の作業に備えたフェンス下地（骨組み構造）を構築する。
胴縁（アングル）４２の取付けは、既に公知、周知であるとおり、そして、図２Ｂ、Ｃに一部分を示したように、フェンス用支柱４０において胴縁４２を取り付けるべき位置に予め打ち起こし加工法で受けフック４３が形成され、同受けフック４３へ胴縁４２のうち、フェンス用支柱４０の側面と平行な一辺の先端縁を差し入れて支持させる。そして、同フェンス用支柱４０の側面から水平に突き出る他の一辺の先端縁へ掛け止めた金具４４を取り付け、長ボルト４５を道路１とは反対向きに前記掛け止めた金具４４へ貫通させる。更に同長ボルト４５は、フェンス用支柱４０に予め設けてある水平方向のボルト孔へも通し、同ボルト孔の背後側位置であるフェンス用支柱４０の側面へ点付け溶接等で固定したナット４６へネジ込み強く締結することで、胴縁４２の取り付けが行われている。
因みに、図２Ｂは、下位の胴縁（アングル）４２をフェンス用支柱４０へ取り付けた構成を示している。上位の胴縁４２も同様な構成でフェンス用支柱４０への取り付けが行われる。もっとも、胴縁４２の設置を含むフェンス下地（骨組み構造）の組み立てを前記構成に限る意味ではない。
【００２１】
上記のようにして、フェンス下地（骨組み構造）の構築が完成した後の作業工程として、前記フェンス用支柱４０及び胴縁４２の道路側面に沿って、面材４１（ひし形金網）を張り付ける設置作業を進める。
面材４１を上記のフェンス下地へ張り付ける設置作業に関しては、図２Ｂ、Ｃの対比で明かな通り、取付金具５の底部５０は、上記のように設置する面材の設置予定位置における面材下縁（下位の胴縁４２の位置）の下を迂回する（潜る）ように位置させるので、面材４１は、図２Ｂにおいて防護柵支柱３０とフェンス用支柱４０の間へ単に差し入れ、そのままフェンス用支柱４０の道路側面に向かって水平方向に押し当てる作業法で、楽に張り付け設置の作業を進めることができる。したがって、既往技術のように、面材４１が防護柵支柱３０とフェンス用支柱４０を繋ぐ金具（図９Ｂの符号３２と図１０の符号４９参照）の位置毎に、同金具を跨ぐように切り込みを入れる加工の必要は全く無い訳で、切り込み作業を一切省ける。
のみならず、面材４１（ひし形金網）は、道路１の延長方向に施工可能な長さ分（一工区分）を１単位として、予め巻紙の如く巻き取った状態に用意し、それを上記構成のフェンス下地の上下の胴縁４２に沿って道路１の長手方向へ順次回転しつつ巻き戻してゆき、長い帯状に展開して、下部を防護柵支柱３０とフェンス用支柱４０の間へ差し入れ、フェンス用支柱４０及び上下の胴縁４２、４２の道路側面へ押し付けて止める単純操作により、張り付け作業を能率良く進めることができる。
【００２２】
因みに、上記した如くフェンス用支柱４０及び上下の胴縁４２、４２の道路側面へ押し付けた面材４１は、その上下の端縁を編むように道路延長方向へ通したφ４ｍｍ程度の横骨線を、上下の胴縁４２、４２に対して、既に公知、周知の金網押さえ金具を胴縁４２へボルト・ナットで締結する手段により止め付けて設置する。面材４１の高さ方向の中間位置にも、φ４ｍｍ程度の横骨線４７を道路延長方向へ編むように通して止め付けることも周知の通りである。
【００２３】
上記の手順で面材４１を上記構成のフェンス下地へ張り付けて止め付けた後の作業工程としては、図２Ｂに示したとおり、上記防護柵支柱３０の道路１とは反対側の側面であって上記取付金具５の立ち上がり部５１の上端よりも上方の部位と、フェンス用支柱４０の対面する部位との間へ跨る補助金具６を配置する。そして、この補助金具６と防護柵支柱３０およびフェンス用支柱４０とをそれぞれボルト７’で強固に接合することにより、フェンス用支柱４０と面材４１は、防護柵支柱３０と一体的構造となり、落下物防止フェンス４の設置工事は一段落する。
図示した補助金具６は、下向きのコ字形状とされているが、上記したとおり、フェンス用支柱４０を防護柵支柱３０と結合して、同フェンス用支柱４０の設置状態を十分強固な構成にできる限り、その材質と形状及び構造は限定されない。
また、補助金具６とフェンス用支柱４０とを結合するボルト７’をねじ込み締結するナット７ａは、フェンス用支柱４０の該当位置に予め設けたボルト孔と整合する背後側位置に、フェンス用支柱４０へ点付け溶接等で予め固定しておくと、ボルト７’による締結作業が楽で、危険な姿勢をとる必要がなく好都合である。
【００２４】
なお、図３Ｄは、図３Ｂと対比して明かなとおり、図３Ｂでは鋼製の取付金具５における底部５０の一側部分（図の左側部分）が一連に水平なフェンス用支柱取付部５３とされ、その上面に、垂直な姿勢としたフェンス用支柱４０の下面を突き合わせ、溶接により一体的に接合した構成を示している。一方、図３Ｄは異なる実施例として、取付金具５における底部５０の一側部分（図の左側部分）にフェンス用支柱４０の道路とは反対側の側面に沿って立ち上がるフェンス用支柱取付部５３が形成され、このフェンス用支柱取付部５３がフェンス用支柱４０とが複数のボルト４８とナット４９の締結により接合された構成を示している。要するに、フェンス用支柱４０とフェンス用支柱取付部５３との一体的接合の構造は、適宜に種々実施される一例を示している。
【実施例２】
【００２５】
次に、図４は、本発明による落下物防止フェンスの設置構造の実施例２を、上記実施例１を示した図２Ｂと同じ視点で表している。
図４に示した落下物防止フェンスの設置例は、図２Ｂ及び図３Ｂに示した実施例１と対比して見ると明らかなように、取付金具５のフェンス用支柱取付部５３が、底部５０の左側部分を、上記図３Ｄとは逆に、フェンス用支柱４０の道路側の側面に沿って立ち上がる垂直な屈曲辺に形成され、このフェンス用支柱取付部５３がフェンス用支柱４０の道路側の側面に沿って溶接でやはり一体的に接合された構成を示している。本実施例２の場合は、取付金具５の底部５０の下面と、フェンス用支柱４０の下端面とが同一レベルに構成されている。
なお、本実施例の場合、取付金具５における上記フェンス用支柱取付部５３の背の高さは、図５Ｂに示したとおり、上記実施例ではフェンス用支柱４０の側壁の一部を打ち起こし加工で形成した受けフック４３に代わる手段として、別途用意した図４Ｃに示すフック部材４３ａを設置できる背丈に形成されている。
要するに、図４Ａ、Ｂに示したように、フェンス用支柱４０へ取り付ける胴縁４２における垂直辺を上記フック部材４３ａの受けフック４３’に指示させ、水平に突き出る他の一辺の先端縁へ掛け止めた金具４４を取り付け、長ボルト４５を道路１とは反対向きに前記掛け止めた金具４４へ貫通させ、更に同前のフック部材４３ａも貫通させ、ボルト４５はフェンス用支柱４０に予め設けてある水平方向のボルト孔から、その背後側位置の側面へ点付け溶接等で固定したナット４６へネジ込み強く締結することで、胴縁４２の取り付けが行われている。
【００２６】
したがって、本実施例２の場合も、各フェンス用支柱４０の上下の位置に、面材４１の上下の端縁部を支持させる胴縁（アングル）４２、４２を取り付けて、面材４１の張り付け作業に備えるフェンス下地（骨組み構造）を構築することは、上記実施例１と同様である。
フェンス用支柱４０へ下位の胴縁４２を取り付ける構成が、図４Ｃに示したフック部材４３ａを使用する点で異なっているにすぎない。
もっとも、上記の構成から明らかなように、取付金具５の垂直辺部５３は、フェンス用支柱４０の道路側側面へボルト止めによって一体的に接合した構成で実施することも可能である。
【００２７】
上記のようにして、フェンス下地（骨組み構造）の構築が完成した後の作業工程として、前記フェンス用支柱４０の道路側面に沿って、面材４１（ひし形金網）をフェンス下地へ張り付け設置する作業を進めること、そして、上記防護柵支柱３０の道路１とは反対側の側面上部と、フェンス用支柱４０の対面する部位との間へ跨る補助金具６を配置し、この補助金具６と防護柵支柱３０およびフェンス用支柱４０とをそれぞれボルト７’で強固に接合して一体的構造とすることにより、落下物防止フェンス４の併設工事が一段落することは、上記実施例１と同じである。
【実施例３】
【００２８】
次に、図６〜図８は、本発明による落下物防止フェンスの設置構造の実施例３を示している。
本実施例３の落下物防止フェンス４は、上記図１に示した実施例１と対比して明らかなとおり、防護柵３の構成をガードレールとした点で異なっている。
即ち、コンクリート高欄２の上面に、防護柵支柱３６としての円柱管が道路１の延長方向に一定の間隔をあけて立てられ、この防護柵支柱３６の道路側面にビーム３５がボルト止めされて防護柵３が構築されている。
【００２９】
一方、落下物防止フェンス４の設置は、図７及び図８を見るとおり、上記実施例１の構成と類似している。即ち、取付金具５の底部５０の一側（図中左側）部分がフェンス用支柱取付部５３とされ、その上面に、垂直に立てたフェンス用支柱４０の下端面が突き合わされ、溶接により一体的に接合されている。また、底部５０は、設置予定位置の面材４１の下縁を迂回して前記防護柵３の支柱３６に向かって延び、続いて図中の右側部分は垂直上向きに屈曲して、前記防護柵支柱３６の道路とは反対側の側面に沿って立ち上がる立ち上がり部５１として形成されている。
そして、防護柵支柱３６の外周へ道路側から抱き付かせたＵボルト３７の両端を、前記立ち上がり部５１の上部に設けた２個のボルト孔５２（図８Ｃを参照）へ通して、ナット３８を締結し、取付金具５の固定とフェンス用支柱４０の立て付けが行われている。
【００３０】
上記のようにして、各防護柵支柱３６の位置毎に、フェンス用支柱４０の立て付け設置を行った後に、上記実施例１で説明した工程と同様に、各フェンス用支柱４０の上下の位置に、面材４１の上下の端縁部を支持させる胴縁（アングル）４２、４２を取り付け、面材４１の張り付け設置に備えるフェンス下地（骨組み構造）が構築される。
胴縁（アングル）４２の取り付けは、本実施例３の場合も、既に公知、周知であり、図２Ｂ、Ｃに一部を示し説明したように、胴縁４２を取り付けるべき該当位置に予め打ち起こし加工で形成された受けフック４３へ、胴縁４２のうちフェンス用支柱４０の側面と平行な一辺の先端縁を差し入れて支持させる。そして、同フェンス用支柱４０の側面から水平に突き出る他の一辺の先端縁へ掛け止めた金具４４を取り付け、長ボルト４５を道路１とは反対側方向に向けて前記掛け止めた金具４４へ貫通させ、更にフェンス用支柱４０に予め設けてある水平方向のボルト孔へも通し、同ボルト孔の背後側位置であるフェンス用支柱４０の側面へ点付け溶接等で固定したナット４６へネジ込み強く締結することで、下位の胴縁４２の取り付けが行われている。
因みに、図７Ｃは、下位の胴縁４２をフェンス用支柱４０へ取り付けただけの途中段階を示している。上位の胴縁４２も同様な構成でフェンス用支柱４０への取り付けが行われる。もっとも、フェンス下地（骨組み構造）の構築を前記構成に限る意味ではない。
【００３１】
上記のようにしてフェンス下地（骨組み構造）の構築が完成した後に、続く作業工程として、前記フェンス用支柱４０及び胴縁４２の道路側面に沿って、面材４１（ひし形金網）を張り付け設置する作業を進めることは上記実施例１と同様である。
また、面材４１を上記のフェンス下地へ張り付け設置する作業法に関しても、図７Ｂ、Ｃで明かな通り、取付金具５の底部５０は設置された面材４１の下縁（下位の胴縁４２の位置）よりも下を潜って通る構成になっているので、面材４１はその下部を、図７Ｂに示す防護柵支柱３６とフェンス用支柱４０との間へ差し入れる操作により、そのままフェンス用支柱４０及び胴縁４２の道路側面に向かって押し当てることができ、楽に張り付け設置の作業を進めることができる。つまり、既往技術のように、面材４１が防護柵支柱３６とフェンス用支柱４０を繋ぐ金具の位置毎に、同金具を跨ぐ切り込みを入れる加工の必要は全く無い。
勿論、面材４１（金網）は、道路１の長手方向に施工可能な長さ分（一工区分）を１単位として、予め巻紙の如く巻き取って用意し、それを上記構成のフェンス下地の上下の胴縁４２、４２に沿って道路１の長手方向へ順次回転しつつ巻き戻してゆき、長い帯状に展開した後に、やはり防護柵支柱３６とフェンス用支柱４０の間へ下部を差し入れて、フェンス用支柱４０及び上下の胴縁４２、４２の道路側面へ押し当て止め付ける操作により、張り付け設置の作業を能率良く進めることができる。
【００３２】
面材４１の張り付けが終了した後の工程として、前記防護柵支柱３６の道路とは反対側の側面の上部と、フェンス用支柱４０の対応する部位との間へ補助金具６を配置して跨らせ、防護柵支柱３６とはＵボルト３７とナット３８により、フェンス用支柱４０とはボルト７’とナット７ａにより強く締結して一体的に結合することで、落下物防止フェンス４の設置工程は一段落する。
【００３３】
以上に本発明を図示した実施例に基づいて説明したが、もとより本発明は各実施例の構成、作用に限定されるものではない。いわゆる当業者が必要に応じて行う設計変更に類する変更、応用の範囲まで含む技術的思想であることを念のため申し添える。
【符号の説明】
【００３４】
１          道路
２          コンクリート高欄
３          防護柵
３０、３６  防護柵支柱
４          落下物防止フェンス
４０        フェンス用支柱
４１        面材
４２        胴縁
５          取付金具
５０        底部
５１        立ち上がり部
５３        フェンス用支柱取付部
６          補助金具
７          ボルト
【図１】
0005572529.tif 000002
【図２】
0005572529.tif 000003
【図３】
0005572529.tif 000004
【図４】
0005572529.tif 000005
【図５】
0005572529.tif 000006
【図６】
0005572529.tif 000007
【図７】
0005572529.tif 000008
【図８】
0005572529.tif 000009
【図９】
0005572529.tif 000010
【図１０】
0005572529.tif 000011